(57)【要約】【課題】大型娯楽施設等の駐車場待ちの車列および駅・ホテル等の客待ちで道路の一部を占拠しているタクシーが、安全面・景観面において社会問題を起こしていることを課題とする。【解決手段】駐車場入場待ちの車両と客待ちタクシーに対し、GPSによりエリアを設定し、エリア内に進入しスマートフォンアプリで登録すると順番が割り当てられる。駐車場から車両が退場する度ならびにタクシーが実車になり乗り場から出ていく度に各端末がビーコンから情報を取得しサーバに信号が送られ、サーバから待機中の各端末に順番が順次減っていくよう送信することにより、駐車場およびタクシー乗り場に円滑に入場することができるスマートフォンアプリ。【選択図】図１
2017117463.tif 000002
【特許請求の範囲】
【請求項１】
GPSにより施設および乗り場を中心に設定したエリア内からアプリで予約すると順番が付与され、施設および乗り場に設置したビーコンからの受信の有無により端末の順番が随時更新され、メッセージとチャイムにより告知し、駐車場およびタクシー乗り場に完全自動で円滑に順番通り入場することができる。違反者に対してはブザー音と警告メッセージにより排除することができ、駐車場入場アプリに関してはスマートフォンを不所持の救済措置として施設外設置の端末機より予約が可能なスマートフォンアプリ。
【請求項２】
アプリを立ち上げると、地図上にGPSにより施設および乗り場を中心に設定したエリアが表示されることを特徴とする請求項１に記載のスマートフォンアプリ。
【請求項３】
スマートフォン端末を所持した車両がエリア内に進入し、予約をタップすると順番が付与されることを特徴とする請求項１又は２に記載のスマートフォンアプリ。
【請求項４】
施設の駐車場およびタクシー乗り場に設置したビーコンからスマートフォンアプリへの受信が切れることにより、駐車場退場およびタクシー乗り場離脱をサーバが認識し、予約済の端末の順番が随時更新され、メッセージとチャイムにより告知し、駐車場およびタクシー乗り場に完全自動で円滑に順番通り入場することができることを特徴とする請求項１から３のいずれか１項に記載のスマートフォンアプリ。
【請求項５】
違反者に対しては、予約しないまま駐車場およびタクシー乗り場に進入するとサーバが感知しブザー音と警告メッセージにより排除することができることを特徴とする請求項１に記載のスマートフォンアプリ。
【請求項６】
駐車場入場アプリに関して、スマートフォン不所持の人への救済措置として、施設外に端末機を設置し端末機から予約することで、エリア内からの予約と同様の権利を得られることを特徴とする請求項１に記載のスマートフォンアプリ。
【発明の詳細な説明】
【技術分野】
【０００１】
本発明は駐車場入場待ちで渋滞を起こしている車列と駅・ホテル等の周辺道路上で待機しているタクシーを一掃し、かつ目的の場所に円滑に誘導するためのスマートフォンアプリに関する。
【背景技術】
【０００２】
従来のタクシーのスマートフォン配車アプリは多くある。またIP無線を使ったタクシー配車システムもある。
【先行技術文献】
【特許文献】
【０００３】
【特許文献１】特開２０１４−０２９５８０    特開２００８−１１７０１３
【非特許文献】
【０００４】
【非特許文献１】富士通テン株式会社  タクシー配車システム  タイプAなど
【発明の概要】
【発明が解決しようとする課題】
【０００５】
解決しようとする問題点は、駐車場入場および客待ちタクシーが公道を占拠してしまい、渋滞の原因・安全面・景観面において社会にとっての負の遺産となっている点である。本発明は公道のはみ出し車列を無くし、安全な公道の確保および生活環境の料かを目的とする。
【課題を解決するための手段】
【０００６】
大型商業施設・大型娯楽施設・イベント会場等の駐車場入場配車において、先行技術のタクシースマートフォン配車アプリは客が近くにいるタクシーを呼ぶためのものであり、特定の場所に一定数の車両を供給するものでないため本課題を解決することはできない。
【０００７】
またIP無線を使ったタクシー配車システムは、商業施設はいうに及ばずタクシー配車においても、タクシー１台ごとに機械を設置しなければならずコスト面に大きな問題があるとともに、ハードシステムは年月を経る度に劣化する、さらにタクシー会社個々が自社の専用乗り場で配車することは可能であるが、駅・ホテル・病院等で客待ちタクシーを無くすにはタクシー会社の枠を超え多くの台数の登録が必要であり、IP無線型の配車システムはコスト面・ハードの劣化面から考えて不可能である。
【０００８】
本発明は、駐車場入場配車・タクシー乗り場配車とともに中心からの予約エリアを決め、エリア内から順番を取得し、駐車場出口・タクシー乗り場に設置したビーコンにより駐車場内の空き状況・タクシー乗り場の台数を管理し、予約順番を付与することにより、公道に並ぶ必要なく順番通りに目的の場所に送り込むことを主要な特徴とする。
【０００９】
尚、駐車場入場配車は駐車場管理会社との協力により、ビーコンを設置することなく台数管理も可能である。駐車場管理会社からの駐車場退場情報を基に予約番号を付与し、順番通りに駐車場に配車することを主要な特徴とする。
【発明の効果】
【００１０】
本発明は、駐車場入場のために公道を占拠している車両にエリア内から順番を取得することにより、大型商業施設・大型娯楽施設・イベント会場等の周辺道路から渋滞を無くし、周辺環境の良化・安全な公道の確保・ドライバーのイライラ解消・施設新規出店の障害除去という利点がある。タクシーにおいても同様に、周辺環境の良化・安全な公道の確保・効率的な営業・業界のイメージ向上さらには主要駅のタクシープール縮小による経済効果等の利点がある。
【図面の簡単な説明】
【００１１】
【図１】駐車場入場アプリの流れと全体構成図
【図２】タクシー配車アプリの流れと全体構成図
【図３】駐車場入場アプリの利用者操作手順
【図４】タクシー配車アプリの利用者操作手順
【図５】駐車場入場アプリのサーバ側流れ
【図６】タクシー配車アプリのサーバ側流れ
【図７】駐車場入場スマホを持たない人の救済。端末機設置による予約方法手順
【発明を実施するための形態】
【００１２】
駐車場入場予約対象施設およびタクシー配車対象乗り場１に対して、GPS衛星２で駐車場入場待機エリア３を決め、エリア内３に進入し駐車場入場予約登録をした端末に対してサーバ４から先着順に番号を付与する。タクシー乗り場予約に対しての同様にエリア内から乗り場予約をした先着順にサーバ４から番号を付与する。駐車場および乗り場を出た車両６の端末がビーコン５を感知しなくなるとサーバ４に送信され、サーバ４は予約順番１番の端末を持つ車両７に駐車場入場および乗り場進入支持を送信、同時に端末の予約順番を１つ減らす。GPS衛星２とビーコン５を使い、車列を作る必要なく円滑にそれぞれの場所に誘導するスマートフォン配車アプリである。
【符号の説明】
【００１３】
１．施設  ２．GPS衛星  ３．予約エリア  ４．サーバ  ５．ビーコン機  ６．出ていく車両  ７．呼ばれた車両
【図１】
2017117463.tif 000003
【図２】
2017117463.tif 000004
【図３】
2017117463.tif 000005
【図４】
2017117463.tif 000006
【図５】
2017117463.tif 000007
【図６】
2017117463.tif 000008
【図７】
2017117463.tif 000009